(57)【特許請求の範囲】
【請求項１】
塵埃掻き上げ用の回転ブラシを内蔵した床ノズルと、前記床ノズルの後方に傾動自在に軸支され吸引された塵埃を捕集する集塵室と塵埃を吸引するファンモータとを有するハンドル体と、前記ファンモータの動力を前記回転ブラシに伝達する動力伝達手段とを備え、前記ハンドル体の傾動動作に応じて、前記回転ブラシへの動力伝達を行うようにし、前記動力伝達手段は、回転ブラシに固着された自転プーリーと、前記自転プーリーに併設されるとともに前記回転ブラシに回転自在に取着された空転プーリーと、前記自転プーリーと空転プーリーのいずれかとファンモータのシャフトとの間に張架されるベルトとで形成し、前記ベルトを前記自転プーリーまたは空転プーリーに切り換える切換えレバーを設け、ハンドル体の傾動と前記切換えレバーの動作を連動させ、前記床ノズルの後部にペダルを設け、ハンドル体が略直立状態にあるとき、前記ペダルにより前記ハンドル体と床ノズル間を固定し、前記ペダルを押すことにより前記ハンドル体と床ノズル間の固定を解除し両者間の傾動を自在にするよう構成し、前記ペダルの動作と切換えレバーを連動させ、前記床ノズルの略上部に設けられた穴より出没自在で、かつ、ペダルの動作に連動するボタンを設けて、前記ボタンを突出させた後、前記ボタンを押すことによりペダルがハンドル体と床ノズル間の傾動を固定する位置と同一位置に復帰するようにした電気掃除機。
【請求項２】
塵埃掻き上げ用の回転ブラシを内蔵した床ノズルと、前記床ノズルの後方に傾動自在に軸支され吸引された塵埃を捕集する集塵室と塵埃を吸引するファンモータとを有するハンドル体と、前記ファンモータの動力を前記回転ブラシに伝達する動力伝達手段とを備え、前記ハンドル体の傾動動作に応じて、前記回転ブラシへの動力伝達を行うようにし、前記動力伝達手段は、回転ブラシに固着された自転プーリーと、前記自転プーリーに併設されるとともに前記回転ブラシに回転自在に取着された空転プーリーと、前記自転プーリーと空転プーリーのいずれかとファンモータのシャフトとの間に張架されるベルトとで形成し、前記ベルトを前記自転プーリーまたは空転プーリーに切り換える切換えレバーを設け、ハンドル体の傾動と前記切換えレバーの動作を連動させ、前記床ノズルの後部にペダルを設け、ハンドル体が略直立状態にあるとき、前記ペダルにより前記ハンドル体と床ノズル間を固定し、前記ペダルを押すことにより前記ハンドル体と床ノズル間の固定を解除し両者間の傾動を自在にするよう構成し、前記ペダルの動作と切換えレバーを連動させ、前記床ノズルの略上部に設けられた穴より出没自在で、かつ、ペダルの動作に連動するボタンを設けて、前記ボタンを押すことにより、ペダルがスラスト方向にスライドした後、ハンドル体と床ノズル間の傾動を固定する位置と同一位置に復帰するようにした電気掃除機。
【請求項３】
ペダルを押さずにハンドル体を強制的に傾動させたとき、ペダルが動作しないようにした請求項２記載の電気掃除機。
【請求項４】
ペダルは、少なくとも一部が外部に露出し外部より操作される第１のペダルと、前記第１のペダルに接しかつ切換えレバーを動作させる第２のペダルとで形成し、ハンドル体の側面部に設けた係止部と、床ノズルの表面に設けた被係止部とを備え、前記被係止部を係止部に係合させることにより床ノズルとハンドル体間の傾動固定を行い、さらに前記第１のペダルと前記被係止部を連動させた請求項３記載の電気掃除機。
【発明の詳細な説明】
【０００１】
【発明の属する技術分野】
本発明は、床ノズルに傾動自在に軸支されたハンドル体を備えた電気掃除機に関するものである。
【０００２】
【従来の技術】
従来、この種の電気掃除機は、図１５に示すような構成が一般的であった。以下、その構成について説明する。
【０００３】
図１５に示すように、床ノズル１は回転ブラシ２を内蔵しており、この床ノズル１にハンドル体３を傾動自在に取り付けている。ハンドル体３は床ノズル１で掻き上げた塵埃を集塵室（図示せず）に吸引するためのファンモータ（図示せず）を内蔵し、このファンモータのモータシャフトと回転ブラシ２とを連結して、回転ブラシ２を回転駆動させる。また、床ノズル１の後方下部には床ノズル１とハンドル体３の間の傾動状態を解除するためのペダル５を設けている。また床ノズル１の後方上部には回転ブラシ２を回転させたり、止めたりするための切換えペダル６を設けている。なお、切換えペダル６には手操作のものと足操作のものがある。
【０００４】
【発明が解決しようとする課題】
従来の電気掃除機に於ては、切換えペダル６が手操作式のものでは、切換えペダル６を比較的低コストで構成できるという長所はあるが、切換えペダル６を操作するときは、切換えペダル６を設けている床ノズル１の上部までいちいち屈んで手操作する必要があるので、大変手間のかかる作業であった。その点、切換えペダル６が足操作式のものでは、屈む必要はなく、足で切換えペダル６を踏むという簡単な操作を行うことができ大変便利であるが、その反面、部品構成が複雑になり、そのため高コストになるという短所があった。
【０００５】
また、切換えペダル６は、ハンドル体３の傾動状態を解除するペダル５から独立したものであり、一般的なじゅうたん掃除を始めるときは、床ノズル１のペダル５を踏んでハンドル体３の傾動状態を解除し、その後、回転ブラシ２を回転させるために切換えペダル６を操作するというように、通常は２度のペダル操作が必要であるため、かなり手間がかかっていた。同様に、じゅうたん掃除状態からアタッチメント使用に切り換える際にも、その都度、回転ブラシ２を止める必要があった。
【０００６】
しかし、中には掃除を終えるときに、その都度、回転ブラシ２を止めない人やアタッチメント使用の際にも回転ブラシ２を止めない人も当然ながら出てくる。
【０００７】
回転ブラシ２を止めない場合には、次回の掃除の開始の際に電源を入れると、いきなり回転ブラシ２が回り出すため、床面に放置された衣服等を巻き込んだりする問題があった。また、アタッチメント使用の際に回転ブラシ２を止めない場合も、アタッチメント使用中に、床面の布等の巻きつくといった問題があった。
【０００８】
また、回転ブラシ２が回転しているかどうかは、使用時には回転ブラシ２が見えないため、切換えペダル６の近傍に表示があることが多いが、刻印で行うことが多く、大変見難いのが現状である。
【０００９】
本発明は、床ノズルに傾動自在に軸支されたハンドル体を備えた電気掃除機において、ハンドル体を傾動させる一動作で床ノズルに設けた回転ブラシの回転・停止を行うようにし、ハンドル体を立てると回転ブラシが自動的に停止することで、じゅうたんを傷めたりするという問題をなくすことを目的としている。
【００１０】
【課題を解決するための手段】
上記目的を達成するために、塵埃掻き上げ用の回転ブラシを内蔵した床ノズルの後方にハンドル体を傾動自在に軸支し、ハンドル体は吸引された塵埃を捕集する集塵室と塵埃を吸引するファンモータとを有し、ハンドル体の傾動動作に応じて、ファンモータの動力を動力伝達手段により回転ブラシ伝達するようにしたものである。
【００１１】
これにより、ハンドル体を床ノズルに対して傾動させたときだけ回転ブラシを回転させるので、ハンドル体を傾動させる一動作で回転ブラシを回転・停止させることができる。
【００１２】
また、好ましくは、床ノズルの略上部にペダルの動作に連動するボタンを出没自在に設けることにより、ボタンの突出により、回転ブラシが回転していることを容易に確認することができ、使用性を向上することができる。
【００１３】
【発明の実施の形態】
本発明の請求項１記載の発明は、塵埃掻き上げ用の回転ブラシを内蔵した床ノズルと、前記床ノズルの後方に傾動自在に軸支され吸引された塵埃を捕集する集塵室と塵埃を吸引するファンモータとを有するハンドル体と、前記ファンモータの動力を前記回転ブラシに伝達する動力伝達手段とを備え、前記ハンドル体の傾動動作に応じて、前記回転ブラシへの動力伝達を行うようにし、前記動力伝達手段は、回転ブラシに固着された自転プーリーと、前記自転プーリーに併設されるとともに前記回転ブラシに回転自在に取着された空転プーリーと、前記自転プーリーと空転プーリーのいずれかとファンモータのシャフトとの間に張架されるベルトとで形成し、前記ベルトを前記自転プーリーまたは空転プーリーに切り換える切換えレバーを設け、ハンドル体の傾動と前記切換えレバーの動作を連動させ、前記床ノズルの後部にペダルを設け、ハンドル体が略直立状態にあるとき、前記ペダルにより前記ハンドル体と床ノズル間を固定し、前記ペダルを押すことにより前記ハンドル体と床ノズル間の固定を解除し両者間の傾動を自在にするよう構成し、前記ペダルの動作と切換えレバーを連動させ、前記床ノズルの略上部に設けられた穴より出没自在で、かつ、ペダルの動作に連動するボタンを設けて、前記ボタンを突出させた後、前記ボタンを押すことによりペダルがハンドル体と床ノズル間の傾動を固定する位置と同一位置に復帰するようにしたものである。
【００１４】
本発明の請求項２記載の発明は、塵埃掻き上げ用の回転ブラシを内蔵した床ノズルと、前記床ノズルの後方に傾動自在に軸支され吸引された塵埃を捕集する集塵室と塵埃を吸引するファンモータとを有するハンドル体と、前記ファンモータの動力を前記回転ブラシに伝達する動力伝達手段とを備え、前記ハンドル体の傾動動作に応じて、前記回転ブラシへの動力伝達を行うようにし、前記動力伝達手段は、回転ブラシに固着された自転プーリーと、前記自転プーリーに併設されるとともに前記回転ブラシに回転自在に取着された空転プーリーと、前記自転プーリーと空転プーリーのいずれかとファンモータのシャフトとの間に張架されるベルトとで形成し、前記ベルトを前記自転プーリーまたは空転プーリーに切り換える切換えレバーを設け、ハンドル体の傾動と前記切換えレバーの動作を連動させ、前記床ノズルの後部にペダルを設け、ハンドル体が略直立状態にあるとき、前記ペダルにより前記ハンドル体と床ノズル間を固定し、前記ペダルを押すことにより前記ハンドル体と床ノズル間の固定を解除し両者間の傾動を自在にするよう構成し、前記ペダルの動作と切換えレバーを連動させ、前記床ノズルの略上部に設けられた穴より出没自在で、かつ、ペダルの動作に連動するボタンを設けて、前記ボタンを押すことにより、ペダルがスラスト方向にスライドした後、ハンドル体と床ノズル間の傾動を固定する位置と同一位置に復帰するようにしたものである。
【００１５】
本発明の請求項３記載の発明は、請求項２記載のペダルを押さずにハンドル体を強制的に傾動させたとき、ペダルが動作しないようにしたものである。
【００１６】
本発明の請求項４記載の発明は、請求項３記載のペダルが、少なくとも一部が外部に露出し外部より操作される第１のペダルと、前記第１のペダルに接しかつ切換えレバーを動作させる第２のペダルとで形成し、ハンドル体の側面部に設けた係止部と、床ノズルの表面に設けた被係止部とを備え、前記被係止部を係止部に係合させることにより床ノズルとハンドル体間の傾動固定を行い、さらに前記第１のペダルと前記被係止部を連動させたものである。
【００１７】
【実施例】
（実施例１）
以下、本発明の第１の実施例について、図面を参照しながら説明する。
【００１８】
図１から図３に示すように、床ノズル７は、自転プーリー８と空転プーリー９を一列に並べて設けた塵埃掻き揚げ用の回転ブラシ１０を内蔵している。自転プーリー８は回転ブラシ１０に固定され、空転プーリー９は自転プーリー８に併設し、回転ブラシ１０に回転自在に取着している。ハンドル体１１は、床ノズル７の後方に傾動自在に軸支され、床ノズル７で掻き上げた塵埃を集塵室（図示せず）に吸引するファンモータ１４を内蔵している。ファンモータ１４のモータシャフト１３と回転ブラシ１０の自転プーリー８または空転プーリー９との間にベルト１２を張架し、ファンモータ１４の動力を回転ブラシ１０に伝達する動力伝達手段を構成している。この動力伝達手段は、ハンドル体１１の傾動動作に応じて、回転ブラシ１０へ動力を伝達するように構成し、ハンドル体１１が略直立状態の時に、回転ブラシ１０の回転を停止するように構成している。
【００１９】
床ノズル７の内部には、切換えレバー１５を回動軸１５ａを中心として回動自在に設け、ベルト１２を自転プーリー８から空転プーリー９に、または逆方向に移動させるよう構成している。この切換えレバー１５を接続レバー１６を介して、床ノズル７の後部に設けたペダル１７に連結し、ペダル１７を踏んで押すことにより、接続レバー１６を介して切換えレバー１５を外部から操作できるように構成している。
【００２０】
また、図４に示すように、ペダル１７の側面に凸部１７ａを設け、ペダル１７は回動軸１７ｂにより回動自在としている。また、切り欠き１７ｃを設けて、凸部１７ａにバネ性をもたせ、先端に接続レバー１６を接続している。ハンドル体１１の側面に、図５に示すように、円弧状のカム１１ａを設け、このカム１１ａの下方に、カム１１ａより幅広で半径の小さい円弧状のステージ１１ｂを設けている。ハンドル体１１を立てたときは、ペダル１７の側面に設けた凸部１７ａがステージ１１ｂ上に位置し、ペダル１７を踏んでハンドル体１１を倒すと、凸部１７ａはステージ１１ｂより一回り大きいカム１１ａの外周に乗り上げて、ペダル１７は傾いた状態で保持されるように構成し、ペダル１７により、床ノズル７とハンドル体１１間の傾動の停止、その停止状態の解除を行うようにしている。
【００２１】
上記の構成において動作を説明する。ハンドル体１１を床ノズル７に対して略直立状態にあるとき、図５または図６の実線で示すように、床ノズル７の後部に設けたペダル１７の凸部１７ａがハンドル体１１の側面に設けたカム１１ａの根元部に食い込む形で、床ノズル７がハンドル体１１に略直角に固定されている。この状態で、ファンモータ１４を駆動しても、ペダル１７は押されていないため、切換えレバー１５は接続レバー１６を介して引っ張られることがなく、図３に示すように、ベルト１２は空転プーリー９上に張架され、ファンモータ１４の動力は回転ブラシ１０に伝達されない。したがって、回転ブラシ１０は停止したままの状態である。
【００２２】
この状態で、図６の点線で示すように、ペダル１７を踏んで押すと、ペダル１７は回動軸１７ｂを中心として回動し、次いでハンドル体１１を倒していくとペダル１７に設けた凸部１７ａがハンドル体１１の側面のカム１１ａの上方に滑って、カム１１ａの外周に乗り上げる。このため、ハンドル体１１が床ノズル７に対して傾動できるようになり、ハンドル体１１を傾動すると、凸部１７ａがカム１１ａの外周に乗り上げた状態で固定される。
【００２３】
このとき、ペダル１７の先端に接続した接続レバー１６は、ペダル１７が回動軸１７ｂを中心として回動することにより引っ張られる。この結果、切換えレバー１５が接続レバー１６を介して引っ張られるため、図７に示すように、切換えレバー１５が回動軸１５ａを中心として回動し、回転ブラシ１０の空転プーリー９上に張架していたベルト１２が自転プーリー８側に移動し、ファンモータ１４の動力が回転ブラシ１０に伝達されて、回転ブラシ１０が回転する。
【００２４】
したがって、ペダル１７を踏むだけでハンドル体１１を倒すことと、切換えレバー１５を介して回転ブラシ１０を回転させることを同時に行うことができ、ペダル１７を踏んで押し、ハンドル体１１を傾動させるという一動作により、ファンモータ１４の駆動による回転ブラシ１０の回転・停止を行うことができ、これにより掻き上げられた塵埃を前記ファンモータ１４の吸引力により、ハンドル体１１内に捕集することができ、使用性を向上することができる。
【００２５】
つぎに、ハンドル体１１を立てると、ペダル１７に設けた凸部１７ａがハンドル体１１の側面のカム１１ａの外周から下のステージ１１ｂに下りてきて、ペダル１７は初期の状態に戻る。このため、ペダル１７に連動した切換えレバー１５も回動して元の位置に戻り、ベルト１２も自転プーリー８から空転プーリー９に移動し、ファンモータ１４の動力が回転ブラシ１０に伝達されなくなり、回転ブラシ１０は自動的に停止する。したがって、アタッチメント使用時など、回転ブラシ１０を回転させる必要がないとき、必ず回転ブラシ１０を停止させることができ、アタッチメント使用時にじゅうたんを傷つけたりするといった問題を防止できる。
【００２６】
（実施例２）
つぎに、本発明の第２の実施例について、図面を参照しながら説明する。
【００２７】
図８に示すように、切換えレバー１５は回動軸１５ａを中心に回動するようになっていて、切換えレバー１５を常にベルト１２を空転プーリー９側に附勢するように、切換えレバーばね１８を設けてテンションを与えている。他の構成は上記第１の実施例と同じである。
【００２８】
上記の構成において動作を説明する。ペダル１７を踏んで押すことにより、ハンドル体１１が床ノズル７に対して傾動可能とし、切換えレバー１５が回動軸１５ａを中心として回動し、回転ブラシ１０の空転プーリー９上に張架していたベルト１２を自転プーリー８側に移動させて、回転ブラシ１０を回転させる動作は上記第１の実施例と同じである。
【００２９】
その後、ハンドル体１１を立てると、ペダル１７に設けた凸部１７ａがハンドル体１１の側面のカム１１ａの外周から下のステージ１１ｂに下りてきて、ペダル１７は初期の状態に戻る。このため、ペダル１７に連動した切換えレバー１５も回動して元の位置に戻り、ベルト１２も自転プーリー８から空転プーリー９に移動する。このとき、切換えレバーばね１８の附勢力により、ベルト１２を確実に空転プーリー９に移動させることができ、ベルト１２が自転プーリー８と空転プーリー９との間で停止して、回転ブラシ１０が回りっぱなしになるのを防止することができる。
【００３０】
（実施例３）
つぎに、本発明の第３の実施例について、図面を参照しながら説明する。
【００３１】
図９に示すように、ボタン１９は、床ノズル７の上部に設けた穴より出没自在に設け、ペダル１７の動作に連動して出没するようにしている。ボタンばね２０はボタン１９を常時下方に附勢するように設けている。また、ボタン１９を突出させた後、ボタン１９を押すことによりペダル１７がハンドル体１１と床ノズル７間の傾動を固定する位置と同一位置、すなわち初期状態に戻るよう構成している。他の構成は上記第１または第２の実施例と同じである。
【００３２】
上記の構成において動作を説明する。図１０に示すように、ペダル１７を踏んで押すと、ペダル１７の上部を接触させたボタン１９がペダル１７により押し上げられて突出する。このボタン１９の突出により、回転ブラシ１０が回転していることを容易に確認させることができ、使用性を向上することができる。
【００３３】
また、ボタン１９を常時下方に附勢するボタンばね２０を設けているので、常にボタン１９に下方へのテンションをかけることができ、ボタン１９が途中で引っかかることなく確実に動作させることができ、ボタン１９が途中で引っかかることによるベルト１２の切換え不良等も防止することができ、使用性を向上することができる。
【００３４】
つぎに、ボタン１９を突出させた後、ボタン１９を押すと、ペダル１７の上部が押され、周囲に切り欠き１７ｃを設けてばね性を持たせた凸部１７ａ（図４参照）がたわんでカム１１ａから下のステージ１１ｂに落ちる。このため、ペダル１７は初期の位置に戻り、回転ブラシ１０を停止させることができる。すなわち、回転ブラシ１０を回転させる必要の無い木床等の掃除のときに、任意に回転ブラシ１０の回転を止めることができるため、使用性を向上することができる。
【００３５】
（実施例４）
つぎに、本発明の第４の実施例について、図面を参照しながら説明する。
【００３６】
図１１に示すように、ボタン２１は、床ノズル７の上部に設けた穴より出没自在に設け、ペダル１７の動作に連動して出没するようにしている。ボタン２１の下面に傾斜部２１ａを設け、ペダル１７の上面にも傾斜部１７ｄを設けている。突出した状態のボタン２１を押すことにより、ペダル１７がスラスト方向（図１１で右方向）にスライドした後、ハンドル体１１と床ノズル７間の傾動を固定する位置と同一位置、すなわち初期状態に戻るように構成している。他の構成は上記第３の実施例と同じである。
【００３７】
上記の構成において動作を説明する。突出した状態のボタン２１を押すと、ペダル１７の上部が押され、ボタン２１の傾斜部２１ａとペダル１７の傾斜部１７ｄとの間で褶動することにより、ペダル１７がスラスト方向にスライドする。この結果、ペダル１７に設けた凸部１７ａがカム１１ａから外れて下のステージ１１ｂに落ちて、ペダル１７は初期の位置に戻り、回転ブラシ１０を停止させることができる（図５参照）。すなわち、ペダル１７をスラスト方向にスライドさせることにより、ペダル１７に無理な力をかけることなく回転ブラシ１０の制御ができるため、ペダル１７の信頼性を向上することができる。
【００３８】
（実施例５）
つぎに、本発明の第５の実施例について、図面を参照しながら説明する。
【００３９】
図１２に示すように、ハンドル体１１の側面に設けた円弧状のカム１１ａの角１１ｄを円弧状に形成し、その半径を大きくすることにより、ペダル１７を踏んで押さずにハンドル体１１を強制的に傾動させたとき、ペダル１７が動作しないようにしている。他の構成は上記第１の実施例と同じである。
【００４０】
上記の構成において動作を説明する。ハンドル体１１をペダル１７を踏まずに強制的に傾動させたとき、ハンドル体１１の側面に設けたカム１１ａの角１１ｄを円弧状に形成し、その半径を大きくしているので、ペダル１７の凸部１７ａがカム１１ａの外周に乗らずに滑ってカム１１ａの外側に滑るため、ペダル１７は動作しない。このように、むりやりハンドル体１１を傾動させたときはペダル１７を動作させない構成にすることにより、正規の使用方法以外で使用されたときの安全性を確保することができる。
【００４１】
（実施例６）
つぎに、本発明の第６の実施例について、図面を参照しながら説明する。
【００４２】
図１３および図１４に示すように、第１のペダル２２は、一部が外部に露出し、外部より操作れさるものであり、第２のペダル２３は、第１のペダル２２の連結し、第１のペダル２２と第２のペダル２３は同一の回動軸２２ａを有している。第２のペダル２３の側面に凸部２３ａを設けるとともに、先端に接続レバー１６を接続し、切換えレバー１５、ボタン１９などを動作させるように構成している。
【００４３】
被係止部２４は、床ノズル７とハンドル体１１間の固定、解除を行うもので、床ノズル７の表面に回動自在に支持し、ハンドル体１１の側面に被係止部２４が挿入されて係止する係止部１１ｃを設けている。被係止部２４は、第１のペダル２２に設けたリブ２２ｂにより動作するようにしている。第１のペダルばね２５は、第１のペダル２２の位置を常に初期状態に保つためのものである。他の構成は上記第１の実施例と同じである。
【００４４】
上記構成において動作を説明する。第１のペダル２２を押さない状態では、第１のペダル２２は、第１のペダルばね２５により常に初期状態、すなわち、図１４に示す状態に保持している。この状態では、被係止部２４は押圧部２４ｂが第１のペダル２２に設けたリブ２２ｂにより押されないため、係止凸部２４ａがハンドル体１１の側面に設けた係止部１１ｃに挿入されて係止し、床ノズル７とハンドル体１１との間を固定する。
【００４５】
つぎに、第１のペダル２２を踏んで押すと、第１のペダル２２のリブ２２ｂが被係止部２４の押圧部２４ｂを押し、係止凸部２４ａを床ノズル７の内部に引っ込めることにより、係止部１１ｃとの係止が外れ、ハンドル体１１と床ノズル７との間の固定の解除が確実にできる。また、同時に第１のペダル２２に接した第２のペダル２３も連動し、第２のペダル２３に連結した切換えレバー１５も動作させることができ、ベルト１２の切換えを行うことができる。逆に、ハンドル体１１を立てると被係止部２４の係止凸部２４ａが係止部１１ｃに突出し、ハンドル体１１と床ノズル７間の固定ができる。
【００４６】
また、係止部１１ｃを同心円上に複数箇所設けることにより、２段階、３段階等の複数角度での固定も容易にかつ確実に行うことができ、使用性を大幅に向上することができる。
【００４７】
【発明の効果】
以上の説明から明らかなように、本発明の請求項１記載の発明によれば、ハンドル体を倒すと回転ブラシが回り、ハンドル体を立てると回転ブラシが止まる構成を設けることができ、ハンドル体が立った状態で回転ブラシが回転し続けることによるじゅうたんの損傷を防止することができる。また、ペダルを踏むだけでハンドル体を倒すことと、切換えレバーを介して回転ブラシを回転させることを同時に行うことができ、使い勝手を向上することができる。また、回転ブラシが回転していることを容易に確認することができ、安全性に優れた掃除機を提供することができる。また、木床等の床面の掃除のときに任意に回転ブラシの回転を止めることができ、使用性、安全性を向上することができる。
【００４８】
また、本発明の請求項２記載の発明によれば、ハンドル体を倒すと回転ブラシが回り、ハンドル体を立てると回転ブラシが止まる構成を設けることができ、ハンドル体が立った状態で回転ブラシが回転し続けることによるじゅうたんの損傷を防止することができる。また、ペダルを踏むだけでハンドル体を倒すことと、切換えレバーを介して回転ブラシを回転させることを同時に行うことができ、使い勝手を向上することができる。また、回転ブラシが回転していることを容易に確認することができ、安全性に優れた掃除機を提供することができる。また、ボタンを押したときペダルが横方向に移動しペダルにかかる力を低減させることができるため、ペダルの信頼性が向上し、使用性、安全性を向上することができる。
【００４９】
また、本発明の請求項３記載の発明によれば、ペダルを押さずにハンドル体と床ノズル間の傾動を強制的に行ったとき、ペダルを動作させない構成にすることにより、切換えレバーは動作せず、回転ブラシも回転させなくするため、正規の使用方法以外で使用されたときの安全性を確保することができ、安全性を向上することができる。
【００５０】
また、本発明の請求項４記載の発明によれば、ペダルを、外部に露出し押される第１のペダルと、床ノズルの内部に配され前記第１のペダルに接しかつ切換えレバーを動作させる第２のペダルの２部品で構成し、ハンドル体の側面に設けた係止部と、床ノズルの表面に設けた被係止部を備え、被係止部を係止部に係合させることにより床ノズルとハンドル体間の傾動固定を行う構成にし、さらに第１のペダルと前記被係止部を連動させることにより、第１のペダルを押すと被係止部の出没を操作できるようになるため、ハンドル体と床ノズル間の固定を確実なものにするとともに、複数角度での固定も容易にかつ確実に行うことができ、使用性にすぐれた画期的な電気掃除機を提供することができる。
【図面の簡単な説明】
【図１】  本発明の第１の実施例の電気掃除機の一部切欠した側面図
【図２】  同電気掃除機の床ノズルの縦断面図
【図３】  同電気掃除機の床ノズルの横断面図
【図４】  同電気掃除機のペダルの拡大分解斜視図
【図５】  同電気掃除機の要部拡大斜視図
【図６】  同電気掃除機の動作状態を示す要部拡大断面図
【図７】  同電気掃除機のペダルを押した状態の床ノズルの横断面図
【図８】  本発明の第２の実施例の電気掃除機の床ノズルの横断面図
【図９】  本発明の第３の実施例の電気掃除機の床ノズルの縦断面図
【図１０】  同電気掃除機のペダルを押した状態の床ノズルの縦断面図
【図１１】  本発明の第４の実施例の電気掃除機の床ノズルの縦側断面図
【図１２】  本発明の第５の実施例の電気掃除機の要部斜視図
【図１３】  本発明の第６の実施例の電気掃除機の要部分解斜視図
【図１４】  同電気掃除機の床ノズルの縦断面図
【図１５】  従来の電気掃除機の斜視図
【符号の説明】
５    ペダル
７    床ノズル
８    自転プーリー
９    空転プーリー
１０    回転ブラシ
１１    ハンドル体
１１ｃ  係止部
１２    ベルト
１４    ファンモータ
１５    切換えレバー
１９    ボタン
２２    第１のペダル
２３    第２のペダル
２４    被係止部
【図１】
0004099861.tif 000002
【図２】
0004099861.tif 000003
【図３】
0004099861.tif 000004
【図４】
0004099861.tif 000005
【図５】
0004099861.tif 000006
【図６】
0004099861.tif 000007
【図７】
0004099861.tif 000008
【図８】
0004099861.tif 000009
【図９】
0004099861.tif 000010
【図１０】
0004099861.tif 000011
【図１１】
0004099861.tif 000012
【図１２】
0004099861.tif 000013
【図１３】
0004099861.tif 000014
【図１４】
0004099861.tif 000015
【図１５】
0004099861.tif 000016